(57)【特許請求の範囲】
【請求項１】
香りを示す香り情報と、該香りを提供する際に配信される広告情報とを対応付けて記憶する記憶手段と、
香り発生装置に発生させる香りを示す情報である香り情報を受信する受信手段と、
前記受信手段によって受信した香り情報に対応する広告情報を前記記憶手段から取得する取得手段と、
前記香り情報に基づいて香りを発生させる前記香り発生装置側に対して、前記取得手段によって取得された広告情報を配信する広告配信手段と、
を備えることを特徴とする広告配信装置。
【請求項２】
前記記憶手段は、前記香り情報として、香りの調合データを、前記広告情報と対応付けて記憶し、
前記受信手段は、前記香り発生装置に発生させる香りの調合データを香り情報として受信し、
前記取得手段は、前記受信手段によって受信した調合データに最も近似する調合データを前記記憶手段に記憶された香り情報のなかから特定して、該特定した調合データに対応付けられた広告情報を取得することを特徴とする請求項１に記載の広告配信装置。
【請求項３】
前記記憶手段は、前記香り情報として、香りの成分データを、前記広告情報と対応付けて記憶し、
前記受信手段は、前記香り発生装置によって発生された香りの成分データを香り情報として受信し、
前記取得手段は、前記受信手段によって受信した香りの成分データに最も近似する成分データを前記記憶手段に記憶された香り情報のなかから特定して、該特定した成分データに対応する広告情報を取得することを特徴とする請求項１に記載の広告配信装置。
【請求項４】
香り情報の指定及び広告情報の入稿を受け付け、受け付けた広告情報を指定の香り情報に対応付けて前記記憶手段に記録する広告受付手段をさらに備えることを特徴とする請求項１に記載の広告配信装置。
【請求項５】
前記広告受付手段は、前記香りの指定と共に該香りに対する入札額を受け付け、受け付けた広告情報及び入札額を指定の香り情報に対応付けて前記記憶手段に記憶し、
前記取得手段は、前記受信手段によって受信した香り情報に対応する広告情報が複数記憶されている場合、それぞれの入札額に基づいて少なくとも１つの広告情報を取得することを特徴とする請求項４に記載の広告配信装置。
【請求項６】
コンピュータで実行される広告配信方法であって、
香り発生装置に発生させる香りを示す情報である香り情報を受信する受信工程と、
前記受信工程によって受信した香り情報に対応する広告情報を、香りを示す香り情報と該香りを提供する際に配信される広告情報とを対応付けて記憶する記憶部から取得する取得工程と、
前記香り情報に基づいて香りを発生させる前記香り発生装置側に対して、前記取得工程によって取得された広告情報を配信する広告配信工程と、
を含んだことを特徴とする広告配信方法。
【請求項７】
香り発生装置に発生させる香りを示す情報である香り情報を受信する受信手順と、
前記受信手順によって受信した香り情報に対応する広告情報を、香りを示す香り情報と該香りを提供する際に配信される広告情報とを対応付けて記憶する記憶部から取得する取得手順と、
前記香り情報に基づいて香りを発生させる前記香り発生装置側に対して、前記取得手順によって取得された広告情報を配信する広告配信手順と、
をコンピュータに実行させることを特徴とする広告配信プログラム。
【発明の詳細な説明】
【技術分野】
【０００１】
本発明は、広告配信装置、広告配信方法および広告配信プログラムに関する。
【背景技術】
【０００２】
近年、インターネットの飛躍的な普及に伴い、インターネットを介した広告配信が盛んに行われている。例えば、広告配信として、ウェブページの所定の位置に、例えば企業や商品等を示すアイコンを表示し、かかるアイコンがクリックされた場合に広告主のウェブページへ遷移するものがある。
【０００３】
また、ユーザの選択入力に応じて、ユーザの好みや気分に合わせた香りを提供する技術が知られている。例えば、ユーザの気分に合わせて色、地域または感覚などの項目が選択され、選択された項目に応じた香りが調合され、香りを提供する香り発生装置が知られている。
【先行技術文献】
【特許文献】
【０００４】
【特許文献１】特開２００３−２２８６６２号公報
【発明の概要】
【発明が解決しようとする課題】
【０００５】
しかしながら、上記した広告配信する技術では、広告が配信されたタイミングが適切でない場合には、適切な広告効果を得られない場合があるという課題があった。例えば、ユーザが、不快な匂いがする環境において、商品の広告表示を閲覧した場合には、不快な匂いと広告表示された商品イメージとが結びついてしまい、ユーザが感じる商品イメージが低下してしまう。
【０００６】
また、上記した香り発生装置を、タクシーなどの限られた空間に設置して客に利用させることが考えられるが、香り発生装置を設置することで得られる利点よりも、設置負担のデメリットの方が大きい場合があるという課題があった。例えば、タクシーに香り発生装置を設置した場合には、乗客にとって香りを楽しめる利点があるものの、タクシー側は香り発生装置の設置費用および維持費用を負担しなければならず、香り発生装置の設置による乗客増加などの利点よりも、設置負担の方が大きくなる恐れがあった。
【課題を解決するための手段】
【０００７】
本願に係る広告配信装置は、香りを示す香り情報と、該香りを提供する際に配信される広告情報とを対応付けて記憶する記憶手段と、香り発生装置に発生させる香りを示す情報である香り情報を受信する受信手段と、前記受信手段によって受信した香り情報に対応する広告情報を前記記憶手段から取得する取得手段と、前記取得手段によって取得された広告情報を前記香り発生装置側へ配信する広告配信手段と、を備えることを特徴とする。
【発明の効果】
【０００８】
本願に係る広告配信装置、広告配信方法および広告配信プログラムは、香り発生装置でユーザの気分に応じた香りを提供している際に広告を配信することで、香り発生装置を設置する利点を大きくするとともに、適切な広告効果を得ることができるという効果を奏する。
【図面の簡単な説明】
【０００９】
【図１】図１は、第１の実施形態に係る広告配信システムの構成を示すブロック図である。
【図２】図２は、第１の実施形態に係る広告配信サーバの構成を示すブロック図である。
【図３】図３は、香りテーブルの一例を示す図である。
【図４】図４は、入札テーブルの一例を示す図である。
【図５】図５は、広告テーブルの一例を示す図である。
【図６】図６は、広告主テーブルの一例を示す図である。
【図７】図７は、入札時における選択画面の一例である。
【図８】図８は、第１の実施形態に係る広告配信システムによる香りと連動した広告配信処理を説明する図である。
【図９】図９は、第１の実施形態に係る広告配信サーバによる入札受付処理を示すフローチャートである。
【図１０】図１０は、第１の実施形態に係る広告配信サーバによる広告配信処理を示すフローチャートである。
【図１１】図１１は、香りの成分データの一例を示す図である。
【図１２】図１２は、第２の実施形態に係る広告配信システムによる香りと連動した広告配信処理を説明する図である。
【図１３】図１３は、入札テーブルの一例を示す図である。
【図１４】図１４は、商品属性と香り情報とを対応付けた商品属性テーブルの一例を示す図である。
【図１５】図１５は、第３の実施形態に係る広告配信システムによる香りと連動した広告配信処理を説明する図である。
【発明を実施するための形態】
【００１０】
以下に、本願に係る広告配信装置、広告配信方法および広告配信プログラムを実施するための形態（以下、「実施形態」と呼ぶ）について図面を参照しつつ詳細に説明する。なお、この実施形態により本願に係る広告配信装置、広告配信方法および広告配信プログラムが限定されるものではない。
【００１１】
（第１の実施形態）
図１〜図１０を用いて、本願に係る広告配信装置、広告配信方法および広告配信プログラムの第１の実施形態について説明する。
【００１２】
〔広告配信システムの構成〕
まず、図１を用いて、第１の実施形態に係る広告配信システムの構成について説明する。図１は、第１の実施形態に係る広告配信システムの構成を示すブロック図である。
【００１３】
図１に例示するように、第１の実施形態に係る広告配信システム１００には、広告配信装置としての広告配信サーバ１０と、香り配信サーバ２０と、香り発生装置３０と、ユーザ端末４０とが含まれる。広告配信サーバ１０と、香り配信サーバ２０と、香り発生装置３０と、ユーザ端末４０とは、ネットワーク５０を介して、無線通信又は有線通信を行う。
【００１４】
広告配信サーバ１０は、香り発生装置３０により香りが生成されている際に、ユーザ端末４０に広告を配信することで、香り選択者であるユーザが好みの香りを嗅いでいる間に広告を閲覧させることができる。
【００１５】
また、広告配信サーバ１０は、香り発生装置３０が発生させる香りに関する情報を記憶する香りテーブル１３ａと、香りを提供する際に配信される広告に関する情報を記憶する入札テーブル１３ｂとを有する。
【００１６】
広告配信サーバ１０は、広告主の端末（図示せず）から広告主によって指定された香りに対する入札を受け付けるとともに、入札した香りに対する広告の入稿を受け付ける。そして、広告配信サーバ１０は、入札された香りごとに入稿された広告と入札金額とを対応付けて入札テーブル１３ｂに格納する。
【００１７】
そして、広告配信サーバ１０は、香り配信サーバ２０から香り選択者により選択された香りに関する情報である選択香り情報を受け付けると、該選択香り情報と香りテーブル１３ａに記憶された情報とを参照して、選択者により選択された香りを特定する。
【００１８】
そして、広告配信サーバ１０は、特定された香りに対応する広告を入札テーブル１３ｂから取得し、取得した広告をユーザ端末４０に送信して掲載させる。なお、広告配信サーバ１０は、特定された香りに対応する広告が複数存在する場合には、入札額×クリック率（ＣＴＲ（Click  Through  Rate））の値が大きい広告を優先的に掲載する。なお、広告サーバ１０の詳しい構成および処理については、図２を用いて後に詳述する。
【００１９】
香り配信サーバ２０は、香りのイメージを表す名称（例えば、「バラの香り」など）と、該香りを発生させるための調合データとを対応付けて記憶する。そして、香り配信サーバ２０は、香り選択者がユーザ端末４０から選択した香りの名称を受け付けると、該名称に対応する調合データを特定し、該調合データをユーザ端末４０に送信する。
【００２０】
香り発生装置３０は、ユーザ端末４０から受信した調合データに基づく香りを発生させる装置である。香り発生装置３０は、複数種類の香料を有しており、複数種類の香料を組み合わせて調合することにより、様々な香りを発生させる。また、香り発生装置３０は、所定の空間に設置されるものであり、例えば、タクシー内や室内などに設置され、車内や室内において香り選択者が選択した香りを提供する。
【００２１】
ユーザ端末４０は、香り選択者からの香りの選択を受け付けるとともに、広告を表示して香り選択者に広告を閲覧させる。例えば、ユーザ端末４０は、香り選択者が所有する端末であってもよいし、香り発生装置３０が設置された車内や室内に設けられた端末であってもよい。ユーザ端末４０は、例えば、携帯電話機、スマートフォン、ＰＤＡ（Personal  Digital  Assistant）、タブレット型ＰＣ、ノート型ＰＣ、デスクトップ型ＰＣ等の情報処理装置である。
【００２２】
〔広告配信サーバの構成〕
次に、図２を用いて、広告配信サーバ１０の構成について説明する。図２は、第１の実施形態に係る広告配信サーバの構成を示すブロック図である。広告配信サーバ１０は、通信処理部１１と、制御部１２と、記憶部１３とを有する。
【００２３】
通信処理部１１は、ネットワーク５０を介して香り配信サーバ２０、香り発生装置３０およびユーザ端末４０との間で各種データを送受信する。通信処理部１１は、例えば、ＮＩＣ（network  card）等に該当する。
【００２４】
記憶部１３は、例えば、ＲＡＭ（Random  Access  Memory)、フラッシュメモリ（Flash  Memory）等の半導体メモリ素子、又は、ハードディスク、光ディスク等の記憶装置である。記憶部１３は、香りテーブル１３ａ、入札テーブル１３ｂ、広告テーブル１３ｃおよび広告主テーブル１３ｄを記憶する。
【００２５】
香りテーブル１３ａは、入札可能な香りの名称と、その香りに係る調合データとを対応付けて記憶する。例えば、香りテーブル１３ａは、図３に例示するように、香りを識別する番号である「香りＮｏ．」と、広告主により入札可能な香りの名称である「香りの名称」と、その香りの「調合データ」とを対応付けて記憶する。図３の具体例を挙げて説明すると、香りテーブル１３ａは、香りＮｏ．「０００１」と、香り名称「バラ」と、「バラ」の香りを生成するための香料の調合の組み合わせを示す調合データ「香料Ａ：３０％、香料Ｂ：２０％、香料Ｃ：５０％」とを対応付けて記憶する。
【００２６】
入札テーブル１３ｂは、香り発生装置３０が発生させる香りを示す香り情報と、該香りを提供する際に配信される広告情報とを対応付けて記憶する。例えば、入札テーブル１３ｂは、図４に例示するように、広告を識別する番号である「広告Ｎｏ．」と、香りを識別する番号である「香りＮｏ．」と、入札額を示す「入札」とを対応付けて記憶する。図４の具体例を挙げて説明すると、入札テーブル１３ｂは、広告Ｎｏ．「０００ａ」と、香りＮｏ．「０００２」と、入札「￥１５０」の額とを対応付けて記憶する。
【００２７】
広告テーブル１３ｃは、配信される広告コンテンツを記憶する。例えば、広告テーブル１３ｃは、図５に例示するように、広告を識別する番号である「広告Ｎｏ．」と、香りを提供する際に配信される「広告コンテンツ」とを対応付けて記憶する。図５の具体例を挙げて説明すると、広告テーブル１３ｃは、広告Ｎｏ．「０００ａ」と、広告コンテンツ「○○洗剤」とを対応付けて記憶する。なお、広告テーブル１３ｃは、広告コンテンツとして、図５に例示する商品の名称や会社名の他に、商品やサービスの説明、キャッチフレーズ、または、広告がクリックされた場合に遷移させるウェブサイトのＵＲＬなどを記憶してもよい。
【００２８】
広告主テーブル１３ｄは、広告主に関する情報を記憶する。例えば、広告主テーブル１３ｄは、図６に例示するように、広告を入稿した会社の名称を示す「会社名」と、該会社の所在地を示す「会社の住所」とを対応付けて記憶する。図６の具体例を挙げて説明すると、広告主テーブル１３ｄは、会社名「××株式会社」と、会社の住所「東京都○○区」とを対応付けて記憶する。
【００２９】
制御部１２は、入札受付部１２ａ、受信部１２ｂ、取得部１２ｃおよび広告配信部１２ｄを備えている。制御部１２は、ＣＰＵやＭＰＵ等が記憶装置に予め記憶されているコンピュータプログラムに従って動作することにより実現される。
【００３０】
入札受付部１２ａは、入札対象の香りの指定および該香りに対する入札額を受け付けるとともに、広告の入稿を受け付ける。具体的には、入札受付部１２ａは、広告主から香りの指定を受け付けるために、広告主の端末に対して図７に例示するような画面を表示させ、画面に表示された複数の香りのイメージ名称のなから一つを選択させる。なお、図７に例示する各香りのイメージ名称に対応する調合データは、予め香りテーブル１３ａに全て記憶されている。
【００３１】
香りデータのイメージ名称としては、図７に例示するように、「バラ」、「レモン」、「オレンジ」、「ミント」、「ラベンダ」、「森林浴」、「集中力ＵＰ」、「リラックス」、および、「目覚め」が選択可能となっている。
【００３２】
そして、入札受付部１２ａは、香りのイメージ名称が選択されると、該香りに対する入札額として、広告バナーへの一クリックごとに支払う金額であるクリック料金の金額を受け付ける。そして、入札受付部１２ａは、香りを提供する際の広告の入稿を受け付ける。そして、入札受付部１２ａは、広告主の情報に対応付けて、香り名称と入札金額と広告ＮＯ．を入札テーブル１３ｂに格納する。
【００３３】
ここで、入札時における広告主側の処理について具体例を挙げて説明する。入札時には、広告主は、まず初期設定として、広告主基本情報を入力する。広告主基本情報とは、例えば、会社名や会社の住所などの形式的な情報である。なお、ここで入力された広告主基本情報は、広告主テーブル１３ｄに格納される。
【００３４】
続いて、広告主は、ユーザ端末４０に配信したい広告コンテンツとして、商品名やサービス名などの情報を入力する。例えば、広告主は、広告コンテンツとして、エアコン、ケータリングなどの商品やサービスの説明や、キャッチフレーズなどを入力しても良い。また、広告主は、広告設定として、リンクＵＲＬを登録する。例えば、表示された広告がクリックされた場合に遷移させるウェブサイトのＵＲＬを登録する。なお、ここで入力された広告コンテンツは、広告テーブル１３ｃに格納される。
【００３５】
続いて、広告主は、図７に例示する選択画面の香りのイメージを表す名称のなかから一つを選択する。例えば、広告主は、会社名の広告を配信したい場合に、爽やかな会社のイメージをユーザに植え付けるために、香りのイメージとして「ミント」を選択したり、安眠グッズの広告を配信したい場合には、香りのイメージとして「リラックス」を選択したりすることができる。なお、広告主に対して、実際の香りを嗅がせて、入札する香りを選択させるようにしてもよい。
【００３６】
続いて、広告主は、予算金額を設定して入金する。予算金額は、広告費として払う限度額である。また、広告主は、入札額として、クリック料金を入力して登録する。例えば、予算金額￥１００００と設定し、クリック料金として、￥１００を入札した場合、広告一クリックごとに広告主は、￥１００をシステム運営側に支払うこととなり、広告が１００回クリックされて支払い金額が予算金額の￥１００００に達した時点で、広告の配信が停止する。なお、広告主が配信を希望する広告は、審査され、審査を通ると、広告の掲載が開始される。
【００３７】
受信部１２ｂは、ユーザ端末４０によって選択された香りを示す情報である香り情報を香り配信サーバから受信する。具体的には、受信部１２ｂは、提供された香りの調合データを香り情報として香り配信サーバ２０から受信する。例えば、受信部１２ｂは、調合データとして「香料Ｄ：２０％、香料Ｅ：３５％、香料Ｆ：２０％、香料Ｇ：３０％」を受信する。
【００３８】
取得部１２ｃは、受信部１２ｂによって受信した香り情報に対応する広告情報を入札テーブル１３ｂから取得する。具体的には、取得部１２ｃは、香り配信サーバ２０から受信した香りの調合データに近似する調合データを香りテーブル１３ａの香りのなかから特定して、該香りに対応する広告を取得する。
【００３９】
例えば、受信部１２ｂが調合データとして「香料Ｄ：２０％、香料Ｅ：３５％、香料Ｆ：２０％、香料Ｇ：３０％」を受信した場合には、取得部１２ｃは、受信した調合データと香りテーブル１３ａに記憶された各調合データとを比較し、最も近似する香りとして、香りＮｏ．「０００２」の香り名称「森林浴」を特定する。ここで、取得部１２ｃは、近似する香りを特定する手法として、例えば、香りの種類が一致し、且つ割合が同一の香料が最も多い調合データの香りを、最も近似する香りとして特定する。
【００４０】
そして、取得部１２ｃは、特定した香りＮｏ．「０００２」に対応する入札状況を確認する。そして、香りＮｏ．「０００２」に対応する広告として、異なる広告Ｎｏ．「０００ａ」と「０００ｃ」とが存在する場合には、入札額×クリック率（ＣＴＲ（Click  Through  Rate））の値を比較し、入札額×クリック率の値が大きい広告を取得する。
【００４１】
広告配信部１２ｄは、取得部１２ｃによって取得された広告情報をユーザ端末４０に対して配信する。具体的には、広告配信部１２ｄは、香り発生装置３０により香りが提供されている際に、ユーザ端末４０に対して広告を配信する。
【００４２】
ここで、図８を用いて、広告配信システム１００による香り発生処理と連動した広告配信処理を説明する。図８は、第１の実施形態に係る広告配信システムによる香り発生処理と連動した広告配信処理を説明する図である。図８に示すように、広告配信サーバ１０は、広告主に対して、香りのリストを提示して香りを選択させる（図８の（１）参照）。そして、広告配信サーバ１０は、選択された香りに対する入札と広告の入稿を受け付ける（図８の（２）参照）。
【００４３】
続いて、ユーザ端末４０は、香り選択者から香り（例えば、バラや森林浴）の選択を受け付けると（図８の（３）参照）、香り選択者が選択した香りの名称をアクセス選択香り情報として、香り配信サーバ２０に送信する（図８の（４）参照）。
【００４４】
そして、香り配信サーバ２０は、アクセス選択香り情報に対応する調合データ（例えば、「香料Ｄ：２０％、香料Ｅ：３５％、香料Ｆ：２０％、香料Ｇ：３０％」）を特定してユーザ端末４０に送信する（図８の（５）参照）。続いて、ユーザ端末４０は、香り配信サーバ２０から受信した調合データを近距離通信などで香り発生装置３０に送信する（図８の（６）参照）。
【００４５】
そして、香り発生装置３０は、ユーザ端末２０から受信した調合データに従って香料を調合し、香り選択者に香りを提供する（図８の（７）参照）。一方、香り配信サーバ２０は、香り選択者が選択した香りのイメージに対応する香りの調合データを選択香り情報に含めて、広告配信サーバ１０に送信する（図８の（８）参照）。
【００４６】
続いて、広告配信サーバ１０は、香り配信サーバ２０から受信した選択香り情報に含まれる香りの調合データに最も近似する調合データを香りテーブル１３ａの香りのなかから特定して、該香りに対応する広告を取得する。広告配信サーバ１０は、取得した広告情報をユーザ端末４０に対して配信する（図８の（９）参照）。
【００４７】
そして、ユーザ端末４０は、広告を表示して香り選択者に広告を提供する（図８の（１０）参照）。このように、第１の実施形態に係る広告配信システム１００では、香り選択者が好みの香りを選択した場合、選択された香りに応じた広告を香り選択者に対して提供するので、香り選択者のそのときの気分に応じた広告を提供することができ、積極的ではないが購買の可能性をもつ人（潜在的な見込み客）に広告を打つことが可能となる。
【００４８】
［広告配信サーバによる処理］
次に、図９および図１０を用いて、第１の実施形態に係る広告配信サーバ１０による処理を説明する。図９は、第１の実施形態に係る広告配信サーバによる入札受付処理を示すフローチャートである。図１０は、第１の実施形態に係る広告配信サーバによる広告配信処理を示すフローチャートである。
【００４９】
まず、図９を用いて、広告配信サーバ１０による入札受付処理を説明する。図９に示すように、広告配信サーバ１０の入札受付部１２ａは、広告主から香りの指定を受け付けたか判定する（ステップＳ１０１）。
【００５０】
この結果、入札受付部１２ａは、広告主から香りの指定を受け付けたと判定した場合には（ステップＳ１０１肯定）、指定された香りに対する入札を受け付ける（ステップＳ１０２）。例えば、入札受付部１２ａは、香りに対する入札額として、広告バナーへの一クリックごとに支払う金額であるクリック料金の金額を受け付ける。
【００５１】
続いて、入札受付部１２ａは、指定された香りに対する入稿を受け付け（ステップＳ１０３）、香りごとに入稿された広告と入札金額を入札テーブル１３ｂに格納する（ステップＳ１０４）。具体的には、入札受付部１２ａは、香りを提供する際の広告の入稿を受け付けると、広告主の情報に対応付けて、香り名称と入札金額と広告ＮＯ．を入札テーブル１３ｂに格納する。
【００５２】
次に、図１０を用いて、広告配信サーバ１０による広告配信処理を説明する。図１０に示すように、広告配信サーバ１０の受信部１２ｂは、香り発生装置３０で発生される香りの調合データを香り情報として香り配信サーバ２０から受信したか判定する（ステップＳ２０１）。
【００５３】
この結果、受信部１２ｂが香り情報を香り配信サーバ２０から受信したと判定した場合には（ステップＳ２０１肯定）、広告配信サーバ１０の取得部１２ｃは、香り配信サーバ２０から受信した香り情報に含まれる調合データに最も近似する調合データを香りテーブル１３ａから特定する（ステップＳ２０２）。
【００５４】
例えば、受信部１２ｂが調合データとして「香料Ｄ：２０％、香料Ｅ：３０％、香料Ｆ：２０％、香料Ｇ：３０％」を受信した場合には、取得部１２ｃは、受信した調合データと香りテーブル１３ａに記憶された各調合データとを比較し、最も近似する調合データとして、香料の種類が合致している調合データ「香料Ｄ：１５％、香料Ｅ：３５％、香料Ｆ：２０％、香料Ｇ：３０％」を特定して、その香りＮｏ．「０００２」、香り名称「森林浴」を特定する。
【００５５】
そして、取得部１２ｃは、特定された香りに対応付けられた広告を取得する（ステップＳ２０３）。例えば、取得部１２ｃは、特定された香りに対応する広告として、異なる２つの広告Ｎｏ．「０００ａ」と「０００ｃ」が存在する場合には、入札額×クリック率（ＣＴＲ（Click  Through  Rate））の値を比較し、入札額×クリック率の値が大きい広告を取得する。
【００５６】
続いて、広告配信サーバ１０の広告配信部１２ｄは、取得部１２ｃによって取得された広告情報をユーザ端末４０に対して配信する（ステップＳ２０４）。具体的には、広告配信部１２ｄは、香り発生装置３０により香りが発生されている際に、ユーザ端末４０に対して広告を配信する。
【００５７】
[第１の実施形態の効果]
上述してきたように、広告配信サーバ１０は、ユーザ端末４０によって選択された香りを示す情報である選択香り情報を香り配信サーバ２０から受信し、受信した選択香り情報に対応する広告を入札テーブル１３ｂから取得する。そして、広告配信サーバ１０は、取得された広告をユーザ端末に対して配信する。これにより、広告配信サーバ１０は、香り発生装置３０でユーザの気分に応じた香りを提供している際に広告を配信することができ、香り発生装置３０を設置する利点を大きくするとともに、香りと連動した適切な広告効果を得ることが可能である。
【００５８】
また、第１の実施形態によれば、広告配信サーバ１０は、ユーザ端末４０によって選択された香りの調合データを選択香り情報として香り配信サーバ２０から受信し、受信した香りの調合データに近似する調合データを香りテーブル１３ａの香りのなかから特定して、該香り情報に対応する広告を取得する。そして、広告配信サーバ１０は、取得された広告をユーザ端末４０に対して配信する。これにより、広告配信サーバ１０は、ユーザによって選択された香りの調合データと、入札された香りの調合データとを比較して、最も似ている香りを特定することができるので、実際に提供される香りの調合データから入札された香りを適切に特定することが可能である。
【００５９】
また、第１の実施形態によれば、広告配信サーバ１０は、入札対象の香りの指定および該香りが提供される際に配信される広告を受け付けて、広告と香りとを対応付けて入札テーブル１３ｂに格納する。このため、広告主は、広告したい内容と一緒に提供される香りを選択することができる結果、香りと連動した最適な広告効果を得ることができるように入札することができる。
【００６０】
また、第１の実施形態によれば、広告配信サーバ１０は、香りの指定と共に該香りに対する入札額を受け付け、受け付けた広告及び入札額を指定の香り情報に対応付けて入札テーブル１３ｂに格納する。そして、特定された香りに対応する広告が複数存在する場合には、入札額に基づいて少なくとも一つの広告を配信する。このため、香りに対応する広告が複数ある場合であっても、入札額に基づいて、配信する広告を選択することができる。
【００６１】
（第２の実施形態）
ところで、上記の第１の実施形態では、ユーザが選択した香りの調合データに近似する調合データを特定し、該調合データに対応する広告を配信する場合を説明したが、これに限定されるものではない。例えば、ユーザの選択に応じて香りを発生させ、実際の香りを検出して成分を分析し、実際の香りの成分に対応する広告を配信するようにしてもよい。
【００６２】
そこで、以下の第２の実施形態では、実際の香りを検出して成分を分析し、実際の香りの成分に対応する広告を配信する場合について説明する。
【００６３】
第２の実施形態に係る広告配信システムにおける香り発生装置３０は、自装置で発生させた香りを検出して、香りの成分を分析する。例えば、香り発生装置３０は、検出した香りの成分データとして、１６種類のピーク成分を分析する。香り発生装置３０は、１６種類のピーク成分として、例えば、「１．成分Ａ」、「２．成分Ｂ」、「３．成分Ｃ」、「４．成分Ｄ」、「５．成分Ｅ」、「６．成分Ｆ」、「７．成分Ｇ」、「８．成分Ｈ」、「９．成分Ｉ」、「１０．成分Ｊ」、「１１．成分Ｋ」、「１２．成分Ｌ」、「１３．成分Ｍ」、「１４．成分Ｎ」、「１５．成分Ｏ」、「１６．成分Ｐ」の各成分の値を分析する。図１１では、香りの成分データの例として、「玉露の香り成分」、「番茶の香り成分」、「紅茶の香り成分」をそれぞれ例示している。
【００６４】
続いて、第２の実施形態に係る広告配信装置１０について説明する。なお、第２の実施形態に係る広告配信装置１０の構成は、図２に示した構成と同様であるため、図示を省略する。第２の実施形態に係る広告配信装置１０が記憶する香りテーブルは、第一の実施形態と異なり、入札可能な香りの情報として、香りＮＯ．と、香りの名称と、香りの成分データとを対応付けて記憶する。香りの成分データは、対象の香りを予め検出して成分を分析して得られたデータであり、検出された各成分の値を示すデータである。
【００６５】
また、第２の実施形態に係る広告配信装置１０が記憶する入札テーブルは、香りＮＯ．と、該香りを提供する際に配信される広告情報とを対応付けて記憶する。
【００６６】
そして、第２の実施形態に係る広告配信装置１０は、ユーザ端末４０によって選択され、香り発生装置にて検出された香りの成分データを香り情報として香り配信サーバ２０から受信し、受信した香りの成分データに最も近似する成分データを香りテーブルに記憶された香り成分データのなかから特定して、該香り成分データに対応する広告を入札テーブルから取得する。その後、第２の実施形態に係る広告配信装置１０は、取得された広告情報をユーザ端末４０に対して配信する。
【００６７】
次に、図１２を用いて、第２の実施形態に係る広告配信システムによる香り発生処理と連動した広告配信処理を説明する。図１２は、第２の実施形態に係る広告配信システムによる香り発生処理と連動した広告配信処理を説明する図である。図１２に示すように、広告配信サーバ１０は、第１の実施形態と同様に、広告主に対して、香りのリストを提示して香りを選択させ（図１２の（１）参照）、選択された香りに対する入札と広告の入稿を受け付ける（図１２の（２）参照）。
【００６８】
続いて、ユーザ端末４０は、香り選択者から自分の好みの香りのイメージ（例えば、バラや森林浴）の選択を受け付けると（図１２の（３）参照）、香り選択者が選択した香りのイメージをアクセス選択香り情報として、香り配信サーバ２０に送信する（図１２の（４）参照）。
【００６９】
そして、香り配信サーバ２０は、アクセス選択香り情報の香りイメージに対応する香りの調合データをユーザ端末４０に送信する（図１２の（５）参照）。続いて、ユーザ端末４０は、香り配信サーバ２０から受信した調合データを香り発生装置３０に送信する（図１２の（６）参照）。そして、香り発生装置３０は、ユーザ端末２０から受信した調合データに従って香料を調合し、香り選択者に香りを提供する（図１２の（７）参照）。そして、香り発生装置３０は、自装置で発生させた香りを検出して香りの成分を分析し、ユーザ端末４０を介して香り配信サーバ２０に香りの成分データを送信する（図１２の（８）参照）。
【００７０】
そして、香り配信サーバ２０は、受信した成分データを広告サーバ１０に転送する（図１２の（９）参照）。続いて、広告配信サーバ１０は、香り配信サーバ２０から選択香り情報に含まれる成分データに近似する成分データを香りテーブル１３ａの香りのなかから特定して、該香りに対応する広告を取得する。広告配信サーバ１０は、取得した広告情報をユーザ端末４０に対して配信する（図１２の（１０）参照）。
【００７１】
このように、上記の第２の実施形態では、広告配信サーバ１０は、ユーザ端末４０によって選択された香りの成分データを選択香り情報として香り配信サーバ２０から受信し、受信した香りの成分データに最も近似する成分データを香りテーブル１３ａのなかから特定して、該香り情報に対応する広告を取得する。そして、広告配信サーバ１０は、取得された広告をユーザ端末４０に対して配信する。これにより、広告配信サーバ１０は、実際に提供されている香りの成分データと、入札された香りの成分データとを比較して、最も似ている香りを特定することができるので、実際に提供されている香りの成分データから入札された香りを適切に特定することが可能である。
【００７２】
（第３の実施形態）
ところで、上記の第１の実施形態では、広告主が、香りリストのなかから選択した香りに対して入札を行う場合を説明したが、これに限定されるものではない。例えば、広告主は、広告商品リストのなかから選択した広告商品に対して入札を行い、香り選択者が選択した香りに対応する広告商品を広告配信サーバが自動で決定し、決定した広告商品の広告を配信するようにしてもよい。
【００７３】
そこで、以下の第３の実施形態では、広告主は、広告商品リストのなかから選択した広告商品に対して入札を行い、香り選択者が選択した香りに対応する広告商品を広告配信サーバが自動で決定し、決定した広告商品の広告を配信する場合について説明する。
【００７４】
まず、第３の実施形態に係る広告配信装置１０について説明する。なお、第３の実施形態に係る広告配信装置１０の構成は、図２に示した構成と同様であるため、図示を省略する。第３の実施形態に係る広告配信装置１０が記憶する入札テーブルは、例えば、入札テーブルは、図１３に例示するように、広告を識別する番号である「広告Ｎｏ．」と、広告商品の商品属性を示す「商品属性」と、入札額を示す「入札」とを対応付けて記憶する。図１３の具体例を挙げて説明すると、入札テーブルは、広告Ｎｏ．「０００ａ」と、商品属性「安眠グッズ」と、入札の額「￥１５０」とを対応付けて記憶する。
【００７５】
また、第３の実施形態に係る広告配信装置１０は、商品属性と、該商品属性のイメージに合った香りとを対応付けて記憶する商品属性テーブルを有する。例えば、商品属性テーブルは、図１４に例示するように、「商品属性」と「香りＮｏ．」とを対応付けて記憶する。図１４の例を挙げて説明すると、商品属性テーブルは、商品属性「安眠グッズ」と、香りＮｏ．「０００２」とを対応付けて記憶する。これは、安眠グッズのイメージに合った香りとして、香りＮｏ．０００２の香りが設定されていることを意味する。
【００７６】
第３の実施形態に係る広告配信装置１０の入札受付部は、入札対象の広告商品（商品属性）に対する入札額を受け付けるとともに、香りを提供する際の広告の入稿を受け付ける。具体的には、入札受付部は、広告主から広告商品の指定を受け付けるために、広告主の端末に対して複数の広告商品名が列記された画面を表示させ、画面に表示された複数の広告商品のなから一つを選択させる。このため、広告主は、入札時において、香りについての指定はせずに、配信する広告の内容を選択する。
【００７７】
第３の実施形態に係る広告配信装置１０は、香り選択者によって選択された香りに応じて、どの広告商品をユーザ端末４０に配信するか決定し、決定した広告をユーザ端末４０に配信する。
【００７８】
ここで、図１５を用いて、第３の実施形態に係る広告配信システムによる香りと連動した広告配信処理を説明する。図１５は、第３の実施形態に係る広告配信システムによる香りと連動した広告配信処理を説明する図である。図１５に示すように、広告配信サーバ１０は、広告主に対して、広告商品属性のリストを提示して広告商品属性を選択させ（図１５の（１）参照）、選択された広告商品属性に対する入札と広告の入稿を受け付ける（図１５の（２）参照）。
【００７９】
続いて、ユーザ端末４０は、香り選択者から自分の好みの香りのイメージ（例えば、バラや森林浴）の選択を受け付けると（図１５の（３）参照）、香り選択者が選択した香りのイメージをアクセス選択香り情報として、香り配信サーバ２０に送信する（図１５の（４）参照）。
【００８０】
そして、香り配信サーバ２０は、アクセス選択香り情報の香りイメージに対応する香りの調合データをユーザ端末４０に送信する（図１５の（５）参照）。続いて、ユーザ端末４０は、香り配信サーバ２０から受信した調合データを香り発生装置３０に送信する（図１５の（６）参照）。
【００８１】
そして、香り発生装置３０は、ユーザ端末２０から受信した調合データに従って香料を調合し、香り選択者に香りを提供する（図１５の（７）参照）。一方、香り配信サーバ２０は、香り選択者が選択した香りのイメージを選択香り情報に含めて、広告配信サーバ１０に送信する（図１５の（８）参照）。
【００８２】
続いて、広告配信サーバ１０は、香り配信サーバ２０から受信した選択香り情報に含まれる調合データに対応する商品属性を特定し、該商品属性に対応する広告情報を取得する。例えば、広告配信サーバ１０は、香り配信サーバ２０から受信した選択香り情報に含まれる調合データに最も近似する調合データを香りテーブル（図３参照）の香りのなかから特定し、香りＮｏ．を取得する。続いて、広告配信サーバ１０は、取得した香りＮｏ．に対応する商品属性を商品属性テーブル（図１４参照）から取得し、取得した商品属性に対応する入札状況を確認し、入札額×クリック率の値が大きい広告情報を入札テーブル（図１３参照）から取得する。
【００８３】
そして、広告配信サーバ１０は、取得した広告情報をユーザ端末４０に対して配信する（図１５の（９）参照）。そして、ユーザ端末４０は、広告を表示して香り選択者に広告を提供する（図１５の（１０）参照）。
【００８４】
このように第３の実施形態によれば、広告配信サーバが、広告商品に合った香りを予め記憶しておき、香り選択者が選択した香りに対応する広告商品（商品属性）を特定し、特定した広告商品の広告を提供することができるので、実際に提供されている香りに適合する広告を自動的に配信することが可能となる。
【００８５】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００８６】
また、上述した広告配信サーバ１０は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【００８７】
また、実施形態に記載した「部」は、「手段」や「section、module、unit」や「回路」などに読み替えることができる。例えば、広告配信部は、広告配信手段や広告配信回路に読み替えることができる。
【符号の説明】
【００８８】
１０  広告配信サーバ
１１  通信処理部
１２  制御部
１２ａ  入札受付部
１２ｂ  受信部
１２ｃ  取得部
１２ｄ  広告配信部
１３  記憶部
１３ａ  香りテーブル
１３ｂ  入札テーブル
１３ｃ  広告テーブル
１３ｄ  広告主テーブル
２０  香り配信サーバ
３０  香り発生装置
４０  ユーザ端末
１００  広告配信システム
【図１】
0005600715.tif 000002
【図２】
0005600715.tif 000003
【図３】
0005600715.tif 000004
【図４】
0005600715.tif 000005
【図５】
0005600715.tif 000006
【図６】
0005600715.tif 000007
【図７】
0005600715.tif 000008
【図８】
0005600715.tif 000009
【図９】
0005600715.tif 000010
【図１０】
0005600715.tif 000011
【図１１】
0005600715.tif 000012
【図１２】
0005600715.tif 000013
【図１３】
0005600715.tif 000014
【図１４】
0005600715.tif 000015
【図１５】
0005600715.tif 000016